(57)【要約】【課題】  プリント媒体に無駄を生ずることなく、多種類のアルバムを処理に作製できる写真プリント装置を構成する。【解決手段】  異なる厚さの印画紙で成るペーパーＰを収容する複数のマガジンＭと、夫々のマガジンＭからのペーパーＰを、カッター１７をプリントサイズに切断して露光エンジン１５に供給し、アルバムプリントを行う場合には、アルバム作製手段が、表紙に対応したペーパーＰを露光エンジン１５に送って表紙のイメージデータの露光を行い、各頁に対応したペーパーＰを露光エンジン１５に送って各頁のイメージデータの露光を行うことにより、１冊のアルバムの単位でパーパーＰの露光処理を行う。【選択図】        図２
2006056223.tif 000002
【特許請求の範囲】
【請求項１】
媒体供給部からのプリント媒体をプリント部に供給し、このプリント部においてアルバムを構成する表紙及び各頁に設定されたイメージデータのプリントを行うアルバム作製手段を備えている写真プリント装置であって、
該写真プリント装置は、異なる性質のロール状のプリント媒体を供給する複数の前記媒体供給部と、この複数の媒体供給部のうち選択されたものから送られるプリント媒体をカッターで設定されたサイズに切断して前記プリント部に供給する供給搬送部とを備えており、
前記アルバム作製手段は、前記表紙及び各頁に対応したプリント媒体を前記媒体供給部から送り出し、前記表紙及び各頁に対応したサイズに切断して前記プリント部に供給する処理と、ソースデータから前記表紙及び各頁にプリントすべき前記イメージデータを生成して前記プリント部においてプリントを実行する処理とを行うように構成されている写真プリント装置。
【請求項２】
アルバムプリントチャンネルの選択によって、前記アルバム作製手段によるアルバム作製処理が実行されるよう処理形態が設定されると共に、このアルバムプリントチャンネルを選択した場合には、ディスプレイに対してプリントサイズの設定部、前記イメージデータの設定部、及び、プリント媒体種の設定部の操作画面を表示し、これらの設定部に対してオペレータが任意にデータの入力を行えるよう構成してある請求項１記載の写真プリント装置。
【請求項３】
前記アルバム作製手段は、複数冊のアルバムを作製する処理を実行する際には、アルバム１冊に対応した前記表紙及び前記各頁のプリントを１つの処理単位とし、この処理単位を複数冊に対応した回数だけ実行するよう処理のシーケンスが設定されている請求項１又は２記載の写真プリント装置。
【請求項４】
前記イメージデータの設定部は、前記表紙及び各頁における前記ソースデータのレイアウトを任意に設定する編集画面に表示するように構成してある請求項２記載の写真プリント装置。
【発明の詳細な説明】
【技術分野】
【０００１】
本発明は、媒体供給部からのプリント媒体をプリント部に供給し、このプリント部においてアルバムを構成する表紙及び各頁に設定されたイメージデータのプリントを行うアルバム作製手段を備えている写真プリント装置に関する。
【背景技術】
【０００２】
上記のように構成された写真プリント装置と関連するものとして、特許文献１に記載されるものが存在する。つまり、この特許文献１では、フィルムスキャナーで画像情報（本発明のイメージデータに相当）を取得し、汎用コンピュータにおいてプリントサイズと画像情報のレイアウトとの情報を設定し、インクジェット型や昇華型のプリント機構において指定されたカセットに収容したペーパー（本発明のプリント媒体）にプリントし、このプリント機構のパンチング部で複数の孔部を形成した後に送り出すよう処理形態が設定されている。このようにプリントされた後には、孔部にバインダーをセットしてアルバムを作製できるものとなる。
【０００３】
【特許文献１】特開２００２‐４９１０６号公報  （段落番号〔００１６〕〜〔００２５〕、図１〜図５）
【発明の開示】
【発明が解決しようとする課題】
【０００４】
特許文献１に記載された技術によってアルバムを作製する処理を考えると、カセットに収容したペーパーを用いるので、使用するペーパーのサイズに対応したペーパーを準備する必要があった。つまり、アルバムに使用されるペーパーのサイズを考えると、特許文献１に記載されるようにペーパーの側部に余白を形成するものでは、この余白を含むサイズのペーパーを用いる必要がある。また、各頁の側端部に接着剤を塗布してアルバムを構成するものでは、同じサイズのイメージデータをプリントする場合でも、特許文献１に記載されたように余白を形成するものよりペーパーのサイズが小さくなる。また、アルバムとしては、特許文献１では表紙と裏表紙とが独立する構造のものの他に、表紙と裏表紙とが一体化したもの（通常は背表紙も一体化する）を用いた構造のものであっても良く、このように表紙と裏表紙とが一体化した構造のアルバムを作製する場合には、更に、表紙と裏表紙とが一体化したサイズのペーパーを準備しなくてはならず、ペーパーのストックを増大させる不都合に繋がるものであった。
【０００５】
写真プリント装置として、マガジンに収容したロール状の銀塩式の印画紙をプリント媒体として用いるものを考えると、ミニラボと称されるものでは、１つの種類の印画紙に対して画像データのプリントを行うことだけを考慮して設計されていたので、プリント処理条件を設定するチャンネルでは１つのマガジンの指定しか許されず、異なる厚みの印画紙を用いてアルバムを作製する場合には、チャンネルを切り換える必要から、手間が掛かり、処理時間も長くなる点において改善の余地があった。
【０００６】
更に、プリント後のプリント媒体からアルバムを作製する処理を考えると、特許文献１に記載されるように複数の孔部を形成してバインダーを用いて綴じる作業だけではなく、表紙と背表紙と裏表紙とが一体化したものに対して各頁を接着することや、ステープラで綴じる作業を必要とするものであり、複数冊のアルバムを作製する場合には、複数枚のペーパーを仕分けるための手間を軽減したい面が強いものであった。
【０００７】
本発明の目的は、プリント媒体に無駄を生ずることなく、多種類のアルバムを作製できる写真プリント装置を合理的に構成する点にある。
【課題を解決するための手段】
【０００８】
本発明の特徴は、媒体供給部からのプリント媒体をプリント部に供給し、このプリント部においてアルバムを構成する表紙及び各頁に設定されたイメージデータのプリントを行うアルバム作製手段を備えている写真プリント装置において、
該写真プリント装置は、異なる性質のロール状のプリント媒体を供給する複数の前記媒体供給部と、この複数の媒体供給部のうち選択されたものから送られるプリント媒体をカッターで設定されたサイズに切断して前記プリント部に供給する供給搬送部とを備えており、
前記アルバム作製手段は、前記表紙及び各頁に対応したプリント媒体を前記媒体供給部から送り出し、前記表紙及び各頁に対応したサイズに切断して前記プリント部に供給する処理と、ソースデータから前記表紙及び各頁にプリントすべき前記イメージデータを生成して前記プリント部においてプリントを実行する処理とを行うように構成した点にある。
【０００９】
この構成により、アルバムを作製する場合には、アルバム作製手段が複数の媒体供給部の何れかから送られる記録媒体を設定されたサイズに切断した後に、プリント部でプリントできるので、アルバムの構造に対応して必要とするサイズのプリント媒体を用いてアルバムを作製できる。その結果、例えば、プリント媒体のサイズが異なる複数種のアルバムを作製する場合でも、予めプリントサイズに切断されたプリント媒体を用いるものと比較してプリント媒体の無駄をなくせるものとなった。
【００１０】
本発明は、アルバムプリントチャンネルの選択によって、前記アルバム作製手段によるアルバム作製処理が実行されるよう処理形態が設定されると共に、このアルバムプリントチャンネルを選択した場合には、ディスプレイに対してプリントサイズの設定部、前記イメージデータの設定部、及び、プリント媒体種の設定部の操作画面を表示し、これらの設定部に対してオペレータが任意にデータの入力を行えるよう構成しても良い。
【００１１】
この構成により、１つのアルバムプリントチャンネルを選択するだけで、ディスプレイの表示に基づいてプリントサイズの設定と、イメージデータの設定と、プリント媒体種の設定とを行えるものとなり、プリント媒体種を設定するために複数のプリントチャンネルを設定する必要がなく、設定の手間が省け、能率的な作業を行える。
【００１２】
本発明は、前記アルバム作製手段として、複数冊のアルバムを作製する処理を実行する際には、アルバム１冊に対応した前記表紙及び前記各頁のプリントを１つの処理単位とし、この処理単位を複数冊に対応した回数だけ実行するよう処理のシーケンスを設定しても良い。
【００１３】
この構成により、複数冊のアルバムを作製する場合には、アルバム１冊に対応した表紙及び各頁のプリントを１つの処理単位とし、この処理単位を複数冊に対応した回数だけ実行するので、プリントを終えた１冊分のプリント媒体から順次アルバムを作製することが可能となり、例えば、表紙を一括してプリントした後に、各頁を一括してプリントする処理と比較して能率的な処理を行える。
【００１４】
本発明は、前記イメージデータの設定部として、前記表紙及び各頁における前記ソースデータのレイアウトを任意に設定する編集画面に表示するように構成しても良い。
【００１５】
この構成により、編集画面での設定により、ソースデータを各頁の任意の位置に配置したアルバムを作製することも可能となる。
【発明を実施するための最良の形態】
【００１６】
以下、本発明の実施形態を図面に基づいて説明する。
〔全体構成〕図１に示すように、現像済みの写真フィルムＦ（以下、フィルムＦと称する）の画像データのデジタル信号化を行い、デジタル信号化された画像データの処理を行い、システム全体の基本的な制御を行うオペレートユニットＡを備えると共に、プリント媒体としての銀塩印画紙Ｐ（以下、ペーパーＰと称する）に対して露光処理と現像処理とを行い、かつ、乾燥処理を行った後に送り出すプリントユニットＢとを備えることによりデジタルミニラボと称せられる写真プリント装置が構成されている。
【００１７】
〔オペレートユニット〕前記オペレートユニットＡは、デスク状のコンソール部１に対してフィルムＦの画像データを光電変換によりデジタル信号化して取り込むフィルムスキャナ２と、各種情報を表示するディスプレイ３と、画像処理と各種処理とを実現する汎用コンピュータで成る処理装置４とを配置し、コンソール部１の上面に情報を入力するためのキーボード５と、マウス６とを備えている。前記処理装置４にＣＤやＤＶＤ等のディスク型の記憶媒体ＭＤからの情報を取得する、あるいは、記憶媒体ＭＤに情報を書き込む（記憶する）メディアドライブ７を備え、内部に情報を保存する半導体メモリやハードディスク等（図示せず）を備えて構成されている。
【００１８】
前記フィルムスキャナ２は、下部に発光ダイオードやハロゲンランプ等を有した光源部を配置し、中間部にズームレンズを配置し、上部にズームレンズからの画像データをＲ（赤）、Ｇ（緑）、Ｂ（青）三原色に色分解して取り込むラインＣＣＤ型の光電変換部を配置して構成されている。このフィルムスキャナ２では、フィルムＦのスキャニングを行う場合には、そのフィルムＦのサイズに適合したフィルムキャリア８を光源部の上面に装着してスキャニングを開始することにより、フィルムＦを副走査方向（長手方向）に搬送する作動と同期して光電変換部においてフィルムＦの撮影画像を主走査方向に沿ってデジタル信号化して取り込む処理が行われ、このように取り込まれた画像データは、前記処理装置４に転送され前記半導体メモリやハードディスクに保存される。
【００１９】
前記処理装置４は、ディスプレイ３に表示された情報に従って各種の処理を前記キーボード５やマウス６の操作により実現するインタフェースを具備し、更に、前述のようにフィルムスキャナ２によって取り込んだ画像データ（ソースデータ）、あるいは、前記メディアドライブ７を介して取り込まれた記憶媒体ＭＤからの画像データ（ソースデータ）を前記半導体メモリやハードディスクに対して保存する処理を行い、必要な処理を実現するソフトウエアがインストールされている。
【００２０】
〔プリントユニット〕前記プリントユニットＢは、図１及び図２に示すように、露光ブロックＥｘと、現像ブロックＤｅと、乾燥ブロックＤｒとを筐体１０に収納して成ると共に、筐体１０に外部には、処理の後に筐体１０の上部から送り出されるペーパーＰを水平方向に送る搬送ベルト１１を備え、この搬送ベルト１１から送られるペーパーＰをオーダ単位で仕分けて集積するよう複数のトレー１２を有したソータ１３を備え、更に、搬送ベルト１１の下方位置には大きいサイズのペーパーＰを受け止めるラック１４を備えている。
【００２１】
前記露光ブロックＥｘは、下部に２つのマガジンＭ、Ｍ（媒体供給部の一例）を配置すると共に、上部位置には露光エンジン１５（露光部の一例）を配置している。そして、この露光ブロックＥｘでは、マガジンＭ、Ｍの一方に収納したロール状のペーパーＰを圧着型のアドバンスローラ１６によって引き出し、カッター１７でプリントサイズに切断し、このように切断されたペーパーＰの裏面側に印字ヘッド１８によって必要な情報をプリントし、この後、ペーパーＰを挟持搬送するチャックユニット１９によって露光経路に送り込むよう構成されている。尚、前記アドバンスローラ１６、カッター１７、チャックユニット１９夫々によって本発明の供給搬送部が構成されている。
【００２２】
前記露光経路では、前記チャックユニット１９からのペーパーＰを受取ローラ２０で受け取ると共に、このペーパーＰを一対の駆動ローラ２１と、これに対応する一対の従動ローラ２２とで上方（副走査方向）に搬送しながら露光位置において、前記露光エンジン１５からのレーザビームで主走査方向に露光を行うように構成されている。そして、この露光を終えたペーパーＰは、複数の圧着ローラ２３を備えた前搬送経路において搬送方向を水平方向に変換された後に、２つのチャッカー２４を備えた振り分け経路において２列の振り分け経路に振り分け、更に、複数の圧着ローラ２５を備えた後搬送経路から前記現像ブロックＤｅの圧着型の導入ローラ２６に受け渡すよう構成されている。
【００２３】
前記露光エンジン１５は、Ｒ（赤）、Ｇ（緑）、Ｂ（青）の三原色のレーザ光源からの光線を音響光学式の変調手段によって光量を調節した後、縦軸芯で回転するポリゴンミラーのミラー面で反射させることにより主走査方向に走査する形態で露光位置のペーパーＰに対して送り出すレーザ走査型のものを使用しているが、ＰＬＺＴ方式蛍光ビーム方式、液晶シャッター方式、ＤＭＤ方式又はＦＯＣＲＴ等の使用が可能である。
【００２４】
前記現像ブロックＤｅは、発色現像槽と漂白定着槽と安定槽とで成る複数の処理槽を一体形成した現像処理槽２７を備えると共に、夫々の現像処理槽にペーパーＰを供給する搬送機構２８を備えている。前記乾燥ブロックＤｒは、現像ブロックＤｅから送り出されるペーパーＰに対してヒータで加熱された空気を供給するブロワ２９を備えている。
【００２５】
このように説明した写真プリント装置は従来からのものと基本的に変わるものではなく、本発明では、前記画像データから生成したイメージデータをペーパーＰにプリントする処理の他に、ペーパーＰに必要なデータをプリントしてアルバムを作製し得る形態で出力できる点にある。
【００２６】
〔制御系の構成〕図３に示すように、前記処理装置４は、マイクロプロセッサＣＰＵに信号のアクセスを行う入出力インタフェース３１に対して前記フィルムスキャナ２、ディスプレイ３、キーボード５、マウス６からの信号が入力する系と、前記メディアドライブ７とハードディスク３２とに対して信号がアクセスする系とを形成してあり、また、マイクロプロセッサＣＰＵのデータバスに半導体メモリＲＡＭ／ＲＯＭ、オペレーティングシステム３３、プリント実行手段３４、アルバム作製手段３５を接続している。ちなみに、この処理装置４において制御を実現するためにはデータバスの他にコントロールバスやアドレスバス等を必要とするものであるが、複雑化を避けるために図面にはコントロールバスやアドレスバス、あるいは、インタフェース類を示していない。
【００２７】
前記オペレーティングシステム３３は、ディスプレイ３に対して必要な情報を表示し、ディスプレイ３に表示された情報に基づき、この処理装置４にインストールされている各種のソフトウエアによるＧＵＩ（Graphical User Interface）型の処理を実現するものである。
【００２８】
前記プリント実行手段３４はソフトウエアで成り、前記フィルムスキャナ２や前記メディアドライブ７で取得した画像データ（ソースデータ）を一覧化してディスプレイ３に表示してプリントの可否の設定や、プリントサイズや、プリント枚数の設定を実現すると共に、このような設定情報と画像データ（ソースデータ）とを前記プリントユニットＢに転送してプリント処理を実現する。
【００２９】
前記アルバム作製手段３５は、イメージデータ設定部とアルバムプリント部とを含むソフトウエアで成り、２つのマガジンＭ、Ｍをうちの一方に収容したペーパーＰにイメージデータをプリントして表紙を作製し、２つのマガジンＭ、Ｍをうちの他方に収容したペーパーＰにイメージデータをプリントして各頁を作製することにより、例えば、質感が異なる少なくとも表紙と各頁とを備えたアルバムを作製してアルバム１冊に対応するペーパーＰを前記ソータ１３のトレー１２に回収する処理を実現する。
【００３０】
本発明は、前記プリント実行手段３４、アルバム作製手段３５夫々をロジック等のハードウエアで構成することや、ハードウエアとの組み合わせで構成することも可能である。
【００３１】
〔アルバム作製処理〕本発明で作製し得るアルバムとして、図４に示すように、表紙４１、各頁４２（複数の頁４２）、裏表紙４３を一方の端部においてステープラや、リベット類で綴じる締結構造のものと、図７に示すように、表紙４１に裏表紙４３と背表紙４４とが一体的に形成され、表紙４１と裏表紙４３との間に各頁４２を挟み込み、糊付けした接着構造のものとの２種を例に挙げることが可能である。
【００３２】
前記締結構造のアルバムは、表紙４１にはアルバムを示す文字やイラスト等のイメージデータがプリントされ、各頁４２には左右の両端部に綴じシロのスペースを余白とし左右に振り分ける形態で前記上下２段に画像データ（ソースデータ）がプリントされ、裏表紙４３にはプリントを行ったＤＰ店の店名や電話番号等のイメージがプリントされ、アルバムを作製する際には、各頁４２のイメージが外側に露出するように折りたたみ（所謂、山折り）、各頁４２を表紙４１と裏表紙４３とで挟み込み、一方の端部側（余白が形成された側）をステープラや、リベット類で綴じる作業が行われる。
【００３３】
前記接着構造のアルバムは、表紙４１と裏表紙４３と背表紙４４とが１枚のペーパーＰで形成されると共に、表紙４１にはアルバムを示す文字やイラスト等のイメージデータがプリントされ、各頁４２には左右の両端部に綴じシロのスペースを余白とし左右に振り分ける形態で前記上下２段に画像データ（ソースデータ）がプリントされ、裏表紙４３にはプリントを行ったＤＰ店の店名や電話番号等のイメージがプリントされ、背表紙４４にはアルバムであることを示す文字やイラスト等のイメージデータがプリントされる。そして、アルバムを作製する際には、各頁４２のイメージが外側に露出するように折りたたみ（所謂、山折り）、各頁４２の端部に接着剤を塗布することや、各頁４２の端部に両面に接着剤を含むテープを貼着した後、このように接着剤が塗布された部位、あるいは、テープが貼着された部位に背表紙４４を接着した状態で、この各頁４２を表紙４１とで裏表紙４３とで抱き込む形態で折り曲げる作業が行われる。
【００３４】
この２種のアルバムを作製する際のアルバム作製手段３５によるプリント処理の概要を図１０のフローチャートのように示すことが可能である。つまり、前記オペレートユニットＡにおいて図５に示す設定画面５０からプリントチャンネルとして、チャンネル選択部５１においてアルバムプリント（チャンネル）を選択し、ペーパー幅設定部５２においてペーパー幅を設定し、表紙４１と各頁４２とのペーパー種をペーパー種設定部５３において設定し、更に、プリント数（アルバム数）をアルバム数設定部５４において設定する処理を行い（＃１０１、＃１０２ステップ）、前記フィルムスキャナ２や前記メディアドライブ７から画像データ（ソースデータの一例）を取得する（＃１０３ステップ）。尚、締結構造のアルバムを作製する場合には、設定画面５０で設定した表紙４１のペーパー種が裏表紙４３に使用される。
【００３５】
次に、アルバム作製用のテンプレートの一覧から表紙４１、裏表紙４３、各頁４２夫々に使用するテンプレートを選択し、これらのテンプレートに表紙４１、裏表紙４３、各頁４２夫々のイメージをディスプレイ３で確認し、必要に応じて文字の入力や、画像データのレイアウトの変更等の編集を実行する（＃１０４ステップ）。
【００３６】
このようにテンプレートを一覧から選択する場合に、前記締結構造のアルバムと接着構造のアルバムとの選択が可能となり（他の構造のアルバムを選択することも可能）、選択したテンプレートに対応したサイズにペーパーＰの目標サイズが設定される。
【００３７】
つまり、この処理では、前記アルバム作製手段３５のイメージデータ設定部が図６、図８に示すように、前記ディスプレイ３に対してプリントイメージ設定画面６０を表示し、この画面に表示された一覧選択部６１で選択したテンプレートを確認画面６２に表示し、ＯＫボタン６３の操作でテンプレートが確定する。また、選択したテンプレートが締結構造に対応する場合には、イメージ画面６４に対して表紙４１のテンプレートＴ１、裏表紙４３のテンプレートＴ３、各頁４２のテンプレートＴ２のプリント用のイメージデータが表示され、選択したテンプレートが接着構造に対応する場合には、イメージ画面６４に対して表紙４１、裏表紙４３、背表紙４４が一体化した形態のテンプレートＴ１、各頁４２のテンプレートＴ２のプリント用のイメージデータが表示される。
【００３８】
表紙４１や裏表紙４３にプリントされるイメージデータは既製のテンプレートや、予め文字やイラストを合成したものを使用することも可能であるが、各頁４２にプリントされるイメージデータは、選択したテンプレートＴ２の合成領域Ｓに画像データ（ソースデータ）を嵌め込む処理によって生成されるため、このプリントイメージ設定画面６０では前頁ボタン６５、あるいは、次頁ボタン６６の操作で頁を切り換えることによりテンプレートＴ２の合成領域Ｓに画像データ（ソースデータ）を嵌め込んだイメージの確認を行え、また、編集を行う場合には編集すべきイメージデータを選択した状態で編集ボタン６７を操作することにより、図９に示す編集画面７０を表示してレイアウトの変更や調節、あるいは、色補正等の編集を行えるように構成されている。
【００３９】
このプリントイメージ設定画面６０でプリントのイメージを確認した後には、全てのイメージデータが前記ハードディスク３２に保存され、ＯＫボタン６８を操作することにより、ハードディスク３２に保存されたイメージデータを順次読み出し、露光エンジン１５に転送する形態でプリント処理が開始される。
【００４０】
これらの図面に示すように同じサイズの合成領域Ｓが形成される前記締結構造のアルバムと接着構造のアルバムとを比較した場合、各頁４２における合成領域Ｓの内側の端部から折りたたみのライン部までの距離Ｈ１、Ｈ２の寸法は殆ど等しいが、合成領域Ｓの外側の端部から頁４２の外側の端部までの余白として形成される部位では、締結構造のアルバムにおける余白が締結に必要な充分な距離を必要とするため、この余白の距離Ｇ１が、接着構造のアルバムにおける距離Ｇ２より長く設定される（Ｇ１＞Ｇ２）。
【００４１】
図９に示す編集画面７０は、表示部７１に対して選択した頁４２のプリントイメージが表示され、この表示状態において位置調節ボタン７２を操作することによりプリントイメージの位置と各頁４２との相対的な位置関係（レイアウト）を確認しながら相対位置を調節でき、反映ボタン７３を操作することで全ての頁に設定を反映させることも可能である。尚、このように１枚のペーパーＰに対し、中央位置を基準にして対称となる位置関係でプリントイメージが配置されるものでは、左右のプリントイメージのうちの一方を選択した状態で調節ボタン７２を操作した場合には、他方のプリントイメージも連係して調節が行われる。
【００４２】
また、この編集画面７０に表示された回転ボタン７４を操作することにより、プリントイメージを９０度単位で回転でき、削除ボタン７５を操作することで、プリントイメージの削除が可能となり、また、プリントイメージを選択した状態で複数の補正ボタン７６の何れかを操作した場合には、新たに補正ボックス７６Ａを表示して、必要とする補正を行えるものとなり、更に、戻るボタン７７を操作することにより直前の設定をキャンセルでき、ＯＫボタン７８を操作することにより設定が完了する。
【００４３】
そして、プリント処理を行う場合には、前記アルバム作製手段３５を構成するアルバムプリント部が、アルバムの種類に対応したサイズにペーパーＰを切断して、アルバム１冊分の表紙４１と、裏表紙４３（締結構造のアルバム）と、各頁４２とのプリントを実行し、アルバム１冊分のペーパーＰを１つのトレー１２に回収する処理を設定された冊数のプリントが終了するまで繰り返して行う（＃１０５、＃１０６ステップ：処理のシーケンス）。
【００４４】
締結構造のアルバムをプリントする際の処理形態を例に挙げると、表紙４１と裏表紙４３とのプリントを行う場合において、マガジンＭを指定して設定された種類のペーパーＰ（厚手のペーパー）を、本発明の媒体供給部としての前記アドバンスローラ１６で引き出し、カッター１７で目標とするサイズに切断し、チャックユニット１９を介して露光エンジン１５に供給して表紙４１と裏表紙４３とに対応するイメージデータのプリントを行い、また、各頁４２のプリントを行う場合には、マガジンＭを指定して設定された種類のペーパーＰ（表紙４１や裏表紙４３より薄手のペーパー）を、本発明の媒体供給部としての前記アドバンスローラ１６で引き出し、カッター１７で目標とするサイズに切断し、チャックユニット１９を介して露光エンジン１５に供給し、各頁４２のイメージデータのプリントを行い、これらの処理が継続する間、前記ソータ１３のトレー１２は１冊分のペーパーＰを回収し終えるまで前記搬送ベルト１１から送られるペーパーＰを回収する位置に保持される。
【００４５】
尚、接着構造のアルバムの作製時は、表紙４１と裏表紙４３と背表紙４４とが一体的に形成されたペーパーＰを用いる点において前記締結構造のアルバムの作製と異なるものであるが、基本的な処理形態は共通するものである。また、このプリント処理では、表紙４１、各頁４２、裏表紙４３の順序でプリントを行う形態、あるいは、表紙４１、裏表紙４３、各頁４２の順序でプリントを行う形態の何れであっても良い。
【００４６】
このように本発明によると、アルバムを作製する場合には設定画面５０のチャンネル選択部５１からアルバムプリントを選択し、この設定画面５０においてペーパーサイズとペーパー種とプリント数（冊数）を設定した後に、プリントイメージ設定画面６０においてテンプレートを選択することにより、表紙４１、裏表紙４３、各頁４２のプリントのイメージを視覚的に確認でき、必要な場合には編集として、プリントイメージのレイアウトの変更や補正も可能となる。
【００４７】
次に、プリントを行う際には、表紙４１及び各頁４２に対応したペーパーＰ（プリント媒体）を、目標とするサイズに切断して前記露光エンジン１５（プリント部）に供給する供給処理を実行し、設定された画像データ（ソースデータ）とテンプレートとから前記各頁４２にプリントすべきイメージデータが決定され、このイメージデータを前記露光エンジン１５に伝送してプリントが実行される。更に、アルバム１冊分のペーパーＰ（プリント媒体）をソータ１３の１つのトレー１２（仕分け部）に回収するため、複数冊のアルバムを作製する場合でもソータ１３の１つのトレー１２に回収したペーパーＰを綴じる処理や接着する処理を行うだけで１冊のアルバムを作製することが可能となる。
【００４８】
〔別実施形態〕
本発明は、上記した実施の形態以外に以下のように構成しても良い（この別実施形態では前記実施の形態と同じ機能を有するものには、実施の形態と共通の番号、符号を付している）。
【００４９】
（イ）アルバムの構造として、表紙、裏表紙、背表紙を１枚のペーパーで構成したものや、表紙を１つだけ備えたものであっても良く、各頁を折り曲げない１枚のペーパーで構成しても良い。
【００５０】
（ロ）インクジェット型のプリント部や昇華型のプリント部を用いることによりペーパーとして印画紙を用いずに写真プリント装置を構成しても良い。
【図面の簡単な説明】
【００５１】
【図１】写真プリント装置の斜視図
【図２】プリントユニットの縦断側面図
【図３】制御系のブロック回路図
【図４】アルバム構造と作製されたアルバムとを示す斜視図
【図５】設定画面を示す図
【図６】プリントイメージ設定画面を示す図
【図７】アルバム構造と作製されたアルバムとを示す斜視図
【図８】プリントイメージ設定画面を示す図
【図９】編集画面を示す図
【図１０】アルバム作製ルーチンのフローチャート
【符号の説明】
【００５２】
３            ディスプレイ
１５          プリント部・露光エンジン
１７          カッター
３５          アルバム作製手段
４１          表紙
４２          頁
Ｍ            媒体供給部・マガジン
Ｐ            プリント媒体・ペーパー
【図１】
2006056223.tif 000003
【図２】
2006056223.tif 000004
【図３】
2006056223.tif 000005
【図４】
2006056223.tif 000006
【図５】
2006056223.tif 000007
【図６】
2006056223.tif 000008
【図７】
2006056223.tif 000009
【図８】
2006056223.tif 000010
【図９】
2006056223.tif 000011
【図１０】
2006056223.tif 000012